(57)【特許請求の範囲】
【請求項１】
インキ収容筒の先端に、ボールを回転自在に抱持してなるボールペンチップを直接、またはチップホルダーを介して装着し、前記インキ収容筒内に、ボールペン用インキを直に収容してなる筆記体を、軸筒内にコイルスプリングにより軸筒後端方向へ付勢して摺動自在に配置し、操作体を操作することによって、前記筆記体のペン先部を軸筒先端開口部より突出可能な出没機構を具備した出没式筆記具において、前記軸筒の後端部に、筆跡を熱変色する摩擦部を具備し、前記ボールペン用インキが、粒子の大きさが０．１〜３０μｍの可逆熱変色性のマイクロカプセル顔料を含有し、前記ボールの後方に、前記ボールをチップ先端部の内壁に押圧するコイルスプリングを具備し、前記チップ先端部の内壁に、前記ボールと略同形のシール面を設け、前記ボールの縦方向のクリアランスが、３０〜８０μｍ、１００ｍ当たりのインキ消費量が、２００〜８００ｍｇとするとともに、前記軸筒に、貫通孔又は透明部からなる軸筒内を視認可能な窓部を形成し、前記軸筒内に、前記ペン先部が没入した状態で、前記窓部よりも軸方向において後方に位置し、前記ペン先部が突出した状態で、前記窓部から視認可能とする表示部を、前記操作体に一体又は、操作体の操作に連動し、前記軸筒内を前後動する部材に設け、前記操作体が、前記軸筒の側壁から外方に突出して配設したクリップであり、前記窓部が、前記クリップと同周上の軸筒後端部側の側壁に設けたことを特徴とする出没式筆記具。
【請求項２】
前記ペン先部が没入した状態で、前記窓部から前記インキ収容筒が視認可能であって、前記インキ収容筒の外表面の明度と前記表示部の明度差が、３０以上であることを特徴とする請求項１に記載の出没式筆記具。
【請求項３】
前記ペン先部が没入した状態で、前記窓部から前記インキ収容筒が視認可能であって、前記インキ収容筒の色と前記軸筒に形成した窓部周辺の色とが、略同色であることを特徴とする請求項１または２に記載の出没式筆記具。
【発明の詳細な説明】
【技術分野】
【０００１】
本発明は、軸筒内にコイルスプリングにより軸筒後端方向へ付勢して摺動自在に配置した筆記体のペン先部を、操作体を操作することによって、軸筒先端開口部より突出可能な出没機構を具備した出没式筆記具に関する。
【背景技術】
【０００２】
従来から、軸筒内にコイルスプリングにより軸筒後端方向へ付勢して摺動自在に配置した筆記体のペン先部を、操作体を操作することによって、軸筒先端開口部より突出可能なノック式、スライド式、回転式等の出没機構を具備した出没式筆記具はよく知られている。
【０００３】
こうした出没式筆記具において、誤って、ペン先が軸筒の先端開口部から突出した状態で、出没式筆記具をポケット等に挿着すると、特に筆記具用インキが低粘度である水性インキや２５℃において粘度が３０００ｍＰａ・ｓ以下の油性のインキの場合には、ポケットの布地等をインキで汚してしまうという問題が間々あった。
【０００４】
また近年、筆記具用インキとして、静的には粘度が高く、筆記時にボールの回転等により粘度が低くなる剪断減粘性を有したインキ、いわゆるゲルインキと呼ばれているインキを用いた筆記具が多数提供されており、この剪断減粘性インキを用いた出没式筆記具も提供されている。剪断減粘性インキは、レフィル内に水性インキの時のように中綿状のインキ収蔵体等を用いずに直詰めして収容する。従って、出没式ボールペンとして提供した場合、前述したようにペン先部が軸筒の先端開口部より突出した状態では、ペン先部のボールがポケットの布地等に擦られて回転することにより、又は布地等の毛細管引力により、ペン先部に存する剪断減粘性インキの粘度は低下してしまうので布地への染み込みは、著しいものがある。
【０００５】
従って、インキ収容筒内に低粘度インキ又は剪断減粘性インキを収容した出没式ボールペンでは、ポケット等に挿着した状態では、ペン先部が軸筒の先端開口部から没入するように、特開平１０−２６４５８２号公報「ノック式筆記具」や特開２００１−１０５７８５号公報「ノック式筆記具」のように、セーフティー機構を設けることが行われていた。
【先行技術文献】
【特許文献】
【０００６】
【特許文献１】特開平１０−２６４５８２号公報
【特許文献２】特開２００１−１０５７８５号公報
【発明の概要】
【発明が解決しようとする課題】
【０００７】
しかし、こうしたセーフティー機構を設けると、従来の出没機構にさらにセーフティー機構を付加することになり、構造が複雑となり、部品の増加につながり、製造上の問題から低価格品の出没式ボールペンに採用するには難しいという問題があった。
【０００８】
ところで、出没式筆記具において、ペン先部の出没動作は、軸筒先端部でのペン先を直接、視認することや、操作体の位置を視認する等によって行われている。しかし、使用者によって、こうした部分を確認せずに、出没動作を確認できる出没式筆記具が切望されている。
【０００９】
本発明の目的は、本発明者は上記問題を鑑み、出没式筆記具において、従来の出没機構を踏襲することができ、軸筒の先端開口部からのペン先部の出没状態を容易に視認可能な出没式筆記具を簡単な構造で提供することである。
【課題を解決するための手段】
【００１０】
本発明は、前記問題を解決するために、インキ収容筒の先端に、ボールを回転自在に抱持してなるボールペンチップを直接、またはチップホルダーを介して装着し、前記インキ収容筒内に、ボールペン用インキを直に収容してなる筆記体を、軸筒内にコイルスプリングにより軸筒後端方向へ付勢して摺動自在に配置し、操作体を操作することによって、前記筆記体のペン先部を軸筒先端開口部より突出可能な出没機構を具備した出没式筆記具において、前記軸筒の後端部に、筆跡を熱変色する摩擦部を具備し、前記ボールペン用インキが、粒子の大きさが０．１〜３０μｍの可逆熱変色性のマイクロカプセル顔料を含有し、前記ボールの後方に、前記ボールをチップ先端部の内壁に押圧するコイルスプリングを具備し、前記チップ先端部の内壁に、前記ボールと略同形のシール面を設け、前記ボールの縦方向のクリアランスが、３０〜８０μｍ、１００ｍ当たりのインキ消費量が、２００〜８００ｍｇとするとともに、前記軸筒に、貫通孔又は透明部からなる軸筒内を視認可能な窓部を形成し、前記軸筒内に、前記ペン先部が没入した状態で、前記窓部よりも軸方向において後方に位置し、前記ペン先部が突出した状態で、前記窓部から視認可能とする表示部を、前記操作体に一体又は、操作体の操作に連動し、前記軸筒内を前後動する部材に設け、前記操作体が、前記軸筒の側壁から外方に突出して配設したクリップであり、前記窓部が、前記クリップと同周上の軸筒後端部側の側壁に設けたことを特徴とする。
【００１１】
また、前記ペン先部が没入した状態で、前記窓部から前記インキ収容筒が視認可能であって、前記インキ収容筒の外表面の明度と前記表示部の明度差が、３０以上であることを特徴とする。
【００１２】
また、前記ペン先部が没入した状態で、前記窓部から前記インキ収容筒が視認可能であって、前記インキ収容筒の色と前記軸筒に形成した窓部周辺の色とが、略同色であることを特徴とする。
【００１３】
本願発明の第１の構成によれば、出没式筆記具において、前記軸筒に、貫通孔又は透明部からなる軸筒内を視認可能な窓部を形成し、前記軸筒内に、前記ペン先部が没入した状態で、前記窓部よりも軸方向において後方に位置し、前記ペン先部が突出した状態で、前記窓部から視認可能とする表示部を、前記操作体に一体又は、操作体の操作に連動する軸筒内を前後動する部材に設けることで、窓部によって、ペン先の位置を確認することができ、ペン先が突出した状態でのポケットや筆箱等に誤って収納することを抑制できる。また、筆記体による筆記と付属部による変色の２種類の機能を有する出没式筆記具とすることができる。
【００１４】
また、粒子の平均の大きさが０．１〜３０μｍの顔料を含有し、前記ボールの縦方向のクリアランスが、３０〜８０μｍ、１００ｍ当たりのインキ消費量が、２００〜８００ｍｇとすることで、濃く良好な筆跡及び良好な筆感を得ることができる。これは、ボールの縦方向のクリアランスが３０μｍ未満では、粒子の平均の大きさが０．１〜３０μｍの顔料を有する筆記具用水性インキにおいて、１００ｍ当たりのインキ消費量が２００〜８００ｍｇのようなインキ消費量を多くすることが困難であるとともに、８０μｍを超えると、インキ消費量が多く、筆跡乾燥性が低下する恐れがあるため、３０から８０μｍとすることが最も好ましいためである。しかし、こうした筆記具は、ペン先が突出した状態でポケット等に収納すると、汚れが発生しやすいので、本発明の効果は顕著である。
【００１５】
前記表示部は、予め着色した樹脂により成形したり、又は成形した部材に塗装や粘着シールを貼付したりするなどして設けてもよい。また、表示部の色は特に限定されないが、前記した軸筒の窓部から視認し易いものが好ましく、視認性を高めるため、明度の高い白色や蛍光色とすることが好ましい。また表示部は、操作体に一体又は、操作体に連動可能に付設した部材の全体又は部分的に他の色にしてあってもよいが、生産性を考慮すると部材全体を同色とすることが好ましい。
【００１６】
また、操作体に一体又は、操作体の操作に連動する、前記軸筒内を前後動可能な部材とは、例えば出没機構における、インキ収容筒の後端を直接、押圧する押圧部や、前記インキ収容筒の後方に配設した回転カムや該回転カムを押圧する摺動カムを有した構造の際の前記回転カムや摺動カムであり、あるいは軸筒内に収容されたインキ収容筒等のことである。
【００１７】
本願発明の第２の構成によれば、前記ペン先部が没入した状態で、前記窓部から前記インキ収容筒が視認可能であって、前記ペン先部が没入した状態で、前記窓部から視認可能な前記インキ収容筒の外表面と前記表示部の明度差を３０以上とすることで、窓部から視認するインキ収容筒と表示部の色との明暗の差を大きくすることができ、ペン先部の没入時と突出時の確認がし易いので好ましい。具体的には、明度差ΔＬが、３０より小さいと、インキ収容筒と表示部との違いが少なくなり結果的に表示部の表示機能が低下するため、明度差を３０以上、より好ましくは５０以上とすることが好ましい。尚、明度は、分光測色計（ミノルタ株式会社製、ＣＭ−５１２ｍ２）にて、測定することができる。
【００１８】
本願発明の第３の構成によれば、前記ペン先部が没入した状態で、前記窓部から前記インキ収容筒が視認可能であって、前記ペン先部が没入した状態で、前記窓部から視認可能な前記インキ収容筒の色と前記軸筒における窓部周辺の色とを略同色にすることで、ペン先部が軸筒内に没入した状態では、窓部から見えるインキ収容筒と軸筒が同化して、インキ収容筒が位置した状態の窓部の存在が薄くなり、ペン先部が突出した状態では、表示部が窓部に位置して見えることにより、ペン先の突出状態及び、ペン先部の出没動作によってのみ、表示部の色に変化するようにでき、より視認し易くなるので好ましい。
【００１９】
尚、本発明の窓部は、内部が視認不能な不透明の軸筒の内外を連通する貫通孔や、透明な軸筒の外壁又は内壁に、窓部を除き内部が視認不能に、印刷や着色などを施すこと等によって設けることができる。また、窓部は、内部が視認可能な透明部とは、自然光において外部から表示部が視認できるものであれば良く、無色透明や着色透明であってもよい。窓部が透明な樹脂の場合には、光線透過度は７０％以上、好ましくは８０％以上とすることが好ましい。
【発明の効果】
【００２０】
本発明は、出没式筆記具において、従来の出没機構を踏襲することができ、軸筒の先端開口部からのペン先部の出没状態を容易に視認可能な出没式筆記具を簡単な構造で提供することができた。
【図面の簡単な説明】
【００２１】
【図１】実施例１の出没式筆記具のペン先部が突出した状態を示す外観図である。
【図２】図１におけるペン先部が軸筒内に没入した状態を示す外観図である。
【図３】図１における縦断面図である。
【図４】実施例１の出没式筆記具のペン先部が突出する状態を示す図である。
【図５】図１における摩擦部を使用する状態を示す図である。
【発明を実施するための形態】
【実施例１】
【００２２】
図１〜図３に、実施例１の出没式筆記具１を示す。出没式筆記具１は、黒色不透明の前軸２と後軸３を螺着して得た軸筒本体内に収容した筆記体１２を、コイルスプリング１１によって、後軸３の後端方向に向かって、摺動自在に付勢して収容してある。出没機構は、後軸３より外方に突出して配設した操作体であるクリップ５と一体に押圧部５ａを連設してあり、クリップ５を前軸２の先端開口部２ａ方向にスライドすることによって、回転カム６、押し棒７からなる従来から知られている回転カムによる出没機構を作動させ、ボールペンチップ１５からなるペン先部を、前軸２の先端開口部２ａから出没可能としてある。また、前軸２には、グリップ１０を装着してある。
【００２３】
筆記体１２は、インキ収容筒１３の先端部に、φ０．７ｍｍのボールを回転自在に抱持したボールペンチップ１５からなるペン先部を、チップホルダー１４を介して装着し、インキ収容筒１３の後端部には、尾栓１７を装着してある。また、インキ収容筒１３内には、平均粒径が５μｍの可逆熱変色性のマイクロカプセル顔料を含有し、ＥＭ型回転粘度計における１ｒｐｍでのインキ粘度が１０２０ｍＰａ・ｓ（２５℃）、１００ｒｐｍでのインキ粘度が８４ｍＰａ・ｓ（２５℃）で、剪断減粘指数が０．４８の筆記具用水性インキ１８と、このインキの後端に、グリース状のインキ追従体１９を直に収容してある。尚、インキ粘度は、ＥＭ型回転粘度計における１００ｒｐｍ、２０℃において、４０〜２００ｍＰａ・ｓとすることが好ましい。
【００２４】
ボールペンチップ１５は、ボールが、底壁に載置している状態のチップ先端より臨出するボール出は、ボール径の２５％、かしめ角度は１１０度、ボールの縦方向のクリアランスが５０μｍとしてある。また、ボールの後方には、コイルスプリング１６を配設してあり、この押圧力によって、ボールをシール面側に押圧してある。尚、ボールを押圧するコイルスプリングの押圧力は１５ｇｆとしてある。
【００２５】
後軸３は、無色透明のＰＣ樹脂で成形してあり、この後軸に、窓部４を除き、インキ収容筒１３と略同色の黒色不透明のフィルムを転写してある。窓部４の表面は、四角形状からなり、軸方向の異なる位置に、適宜間隔を設けて断続的に３箇所（４Ａ、４Ｂ、４Ｃ）形成してある。また、窓部４は、クリップ５を挟み左右の側壁に形成してある。
【００２６】
この筆記体１２で筆記するには、図４に示すように、ボールペンチップ１５が前軸２の先端開口部２ａより没入した状態で、クリップ５をコイルスプリング１１の付勢力に抗して、前軸２の先端開口部２ａ方向にスライド（矢印Ｆ方向）すると、クリップ５と一体に形成した押圧部５ａ、押し棒７及び回転カム６を作動させ、ボールペンチップ１５の先端部を突出した状態を維持し、ボールの回転と、筆圧によって、前記した縦方向のクリアランス分、ボールが底壁側に移動してチップ先端部とボールに隙間を生じることによりインキを吐出して筆記することができる。なお、回転カム６は全体を蛍光イエローに着色して回転カム６全体を表示部としてある。
【００２７】
この時、蛍光イエローに着色した回転カム６からなる表示部は、ボールペンチップ１５が前軸２内に没入した状態では、最も軸筒後端側に位置する窓部４Ｃよりも後方に位置し、前記したクリップの操作５及びボールペンチップ１５の先端部の突出動作に連動して、カム溝（図示せず）に沿って前軸２の先端開口部２ａ側に移動及び回転する。また、最も軸筒後端側に位置する窓部４Ｃから中央の窓部４Ｂ、最も軸筒先端側に位置する窓部４Ａに回転カム６が順次、クリップ５及びボールペンチップ１５の移動と連動して視認可能となり、ボールペンチップ１５の先端部が突出した状態では、全ての窓部４（４Ａ、４Ｂ、４Ｃ）から回転カム６を視認することができた。また本実施例では、後軸３が黒色であり、回転カム６が蛍光イエローであることから、双方の明度差は大きく、窓部４から表示部となる回転カム６が視認し易いものとなった。
【００２８】
また、ボールペンチップ１５が前軸２内に没入した状態では、全ての窓部４（４Ａ、４Ｂ、４Ｃ）から黒色に着色したインキ収容筒１３が視認される構造とした。尚、インキ収容筒１３の明度と表示部となる回転カム７の明度差ΔＬは、分光測色計（ミノルタ株式会社製、ＣＭ−５１２ｍ２）による測定で５０とした。
【００２９】
後軸３の後端部には、尾冠８を介してシリコーンゴムからなる摩擦部９（付設部）を設けてあり、この摩擦部９を筆記面２０に圧接し、擦ることで発生する熱によって、筆跡を変色させることができる。
【００３０】
また、窓部４の中で最も軸筒先端側に位置する窓部４Ａの前端と、最も軸筒後端側に位置する窓部４Ｃの後端との、軸心方向に沿った長さＬは、ボールペンチップ１５の先端部を突出するのに必要なクリップのスライド距離Ｍと略同等としてあり、クリップのスライド距離を外観上で確認することができ、不用意な押圧またはスライド操作を抑制することができる。
【００３１】
また、本実施例の窓部４Ａ，４Ｂ，４Ｃはいずれも四角形状であり、最も軸筒後端側に位置する窓部４Ｃから中央部の窓部４Ｂ、最も軸筒前端側に位置する窓部４Ａと、順次、大きく形成してあり、ボールペンチップ１５の突出によって、順次、表示が視認できるとともに、ペン先部の突出状態を一番大きい４Ａで視認し易くしてある。
【００３２】
尚、図示はしていないが、３つの窓部４（４Ａ、４Ｂ、４Ｃ）における軸筒の肉厚を軸筒先端に向かって薄くして、軸筒先端に向かって、異なる光透過率を有する窓部を形成するとともに、軸筒先端に向かって、光透過度を高くすることが好ましい。窓部の肉厚が厚い軸筒後端側の光透過率に比べ、窓部の肉厚が薄い軸筒先端側の窓部は、光透過率を高くすることができるため、内部を視認し易くすることができる。光透過率とは、透明プラスチックの光線透過度のことで、ＡＳＴＭ  Ｄ  １００３に準じて測定することができ、窓部の肉厚や窓部表面へ透明又は半透明のフィルムの転写や着色等によって、変化させることができる。
【００３３】
本実施例では、便宜上、回転カムによるスライド式の出没式ボールペンを例示しているが、軸筒後端部や軸筒側面に操作体を有し、該操作体の押圧操作や回転操作により、ペン先部を軸筒前端開口部から出没させる構成、或いは、軸筒に設けたクリップからなる操作体をスライド操作することにより、ペン先部を軸筒前端開口部から出没させる機構等、ノック式、スライド式、回転式等、特に限定されるものではないが、操作性や耐久性を考慮すると回転カムによる出没機構が最も好ましい。
【００３４】
また、筆記具用インキも特に限定されるものではないが、粒子の平均の大きさが０．１〜３０μｍの顔料を含有し、前記ボールの縦方向のクリアランスが、３０〜８０μｍ、１００ｍ当たりのインキ消費量が、２００〜８００ｍｇとすることで、濃く良好な筆跡及び良好な筆感を得ることができる。これは、ボールの縦方向のクリアランスが３０μｍ未満では、粒子の平均の大きさが０．１〜３０μｍの顔料を有する筆記具用水性インキにおいて、１００ｍ当たりのインキ消費量が２００〜８００ｍｇのようなインキ消費量を多くすることが困難であるとともに、８０μｍを超えると、インキ消費量が多く、筆跡乾燥性が低下する恐れがあるため、３０から８０μｍとすることが最も好ましいためである。しかし、こうした筆記具は、ペン先が突出した状態でポケット等に収納すると、汚れが発生しやすいので、本発明の効果は顕著である。
【００３５】
出没式ボールペンにおいて、軸筒後端部に、筆跡を熱変色する摩擦部等、筆跡を変色や消去する付属部を設けることで、筆記体による筆記と付属部による変色や消去の２種類の機能を有する出没式筆記具とすることができるので好ましい。尚、軸筒後端部に設けた付属部をペン先部が突出した状態で使用する場合には、ペン先部を筆記面に向けた筆記具を回転させて持ち替える際に、突出したペン先部が手や衣服に当接し、汚してしまう恐れがあるが、本願発明による出没式筆記具では、付属部に近接した位置となる軸筒後端部側に窓部を設けることにより、ペン先の出没状態を確認できるので、こうした不具合の発生を抑制できる効果を奏する。また、実施例では、便宜上、摩擦部からなる付設部を設けているが、軸筒後端部に、筆記又は筆跡を消去する付属部を設けてもよい。
【産業上の利用可能性】
【００３６】
本発明の出没式筆記具は、出没機構や使用するインキに限定されることなく使用可能であるため、出没式筆記具として広く利用可能である。
【符号の説明】
【００３７】
１  出没式筆記具
２  前軸
２ａ  先端開口部
３  後軸
４  窓部
４Ａ  第１窓部
４Ｂ  第２窓部
４Ｃ  第３窓部
５  クリップ
５ａ  押圧部
６  回転カム（表示部）
７  押し棒
８  尾冠
９  摩擦部
１０  グリップ
１１  コイルスプリング
１２  筆記体
１３  インキ収容筒
１４  チップホルダー
１５  ボールペンチップ
１６  コイルスプリング
１７  尾栓
１８  筆記具用インキ
１９  インキ追従体
２０  筆記面
【図１】
0006007235.tif 000002
【図２】
0006007235.tif 000003
【図３】
0006007235.tif 000004
【図４】
0006007235.tif 000005
【図５】
0006007235.tif 000006